(57)【特許請求の範囲】
【請求項１】
軸心が互いに平行となるように所定の隙間をあけて隣接して配置されると共に互いに異なる方向へ回転する一対のロータと、当該一対のロータを収納するハウジングとを有するバッチ式の密閉型混練機に備えられた、前記ロータの軸方向両端側に配備され且つ、一対の前記ロータにて混練された混練物の外部への漏出を防止するダストストップ装置において、
前記ダストストップ装置は、前記ロータ側に配備され、当該ロータとともに回転する回転リングと、前記ハウジング側に配備され、一方の面が前記回転リングと面接触する固定リングとで構成されており、
前記固定リングには、当該固定リングと前記回転リングの接触面に、潤滑油を供給する潤滑油供給部が、少なくとも１つ以上設けられていて、
前記潤滑油供給部は、前記ハウジング側を向く一方の面と、当該一方の面と対向する他方の面を連通する貫通孔であって、前記一方の面において長孔とされていて、
前記長孔の長手方向は、前記固定リングの円周接線方向に沿う方向である、又は、前記回転リングの回転方向に対して、前記固定リングの内周側に向かって傾斜する方向である
ことを特徴とする密閉型混練機に備えられているダストストップ装置。
【請求項２】
前記潤滑油供給部の長孔形状が、ストレート形状、円弧形状、ブーメラン形状、Ｌ字形状のいずれかであることを特徴とする請求項１に記載の密閉型混練機に備えられているダストストップ装置。
【発明の詳細な説明】
【技術分野】
【０００１】
本発明は、密閉型混練機に備えられているダストストップ装置に関するものであって、詳しくは、密閉型混練機の内部で混練される混練物が外部へ漏出することを防止する装置に関する。
【背景技術】
【０００２】
従来より、ゴム、プラスチック等の被混練材料を混練するバッチ式の密閉型混練機は、内部が混練室とされたハウジングと、このハウジングの内部に設けられ、回転自在に支持されている一対のロータとを備えている。この密閉型混練機は、混練室に圧入されたゴムやプラスチックなどの被混練材料を、回転自在の一対のロータで混練し、所望の混練状態となった混練物を外部に取り出す構成となっている。
【０００３】
混練室（中空部）を備えたハウジングは、フレーム部材に支持されている。また、一対のロータは、被混練材料を混練する本体部が混練室に収納されるとともに、本体部の両端面から突設された軸部がフレーム部材を介して外部へ突出状に配備されている。
混練室に収納されたロータの本体部の端面とフレーム部材の間には、本体部が回転するので、所定の隙間が設けられている。すなわち、混練室はその隙間を介して、外部と連通された状態になっている。
【０００４】
ところが、混練室と外部が連通状態となっていると、その混練室内の混練物が隙間から外部へ漏出する虞がある。そのため、従来からその隙間には、混練室内の混練物が外部へ漏出を防止するダストストップ装置（混練物の漏出を防止する装置）が備えられている。
このダストストップ装置は、混練室を密閉するため、ロータの本体部とフレーム部材のそれぞれに面接触するように配備されている。ロータの本体部が回転すると、それに伴って、ダストストップ装置が接触面において摺動することとなる。
【０００５】
摺動時においては、接触面間の摩擦力が大きいと、ダストストップ装置が発熱したり、摩耗する。そのため、ダストストップ装置の接触面間に、摩擦力を低減させる潤滑油が供給されている。
このようなダストストップ装置としては、特許文献１、２に開示されたものがある。
特許文献１には、ロータのフランジ端面がロータシャフトを取り込む環状のエンドプレートと、ロータシャフトの外周面とエンドプレートの内周面との間に軸方向に嵌合され、ヨークを介して前記フランジ端面に押付けられかつ回り止めされた環状のダストストップリングと、を少なくとも備えてなる混練機の圧着型ダストストップ組立体において、ダストストップリングは、第１リングと第２リングとに２ツ割とされ、その分割端面を接合分離自在に組付けてなり、第１リングと第２リングの外周面に冷却水の導通ジャケットが周方向にそれぞれ形成され、該導通ジャケットを連通する連絡管が設けられ、導通ジャケットの一方に冷却水供給管が、他方に冷却水排出管がそれぞれ接続され、更に、第１リングと第２リングのそれぞれには前記フランジ端面との摺接部分に潤滑油を送る潤滑孔が軸方向に形成されている混練機の圧着型ダストストップの構造が開示されている。
【０００６】
特許文献２には、合成樹脂、ゴム等の混練機ローター軸の軸封装置において、エンドプレートとローター軸との間に狭い間隙を保ち、ローター軸に沿って移動可能なシールリングとローター軸との間にＯリングを嵌め込み、エンドプレートにスプリングにより押し付けられる上記シールリングを、自己潤滑性を有する材料で製作し、潤滑油管理作業を除去した混練機の軸封装置の無給油運転方法が開示されている。
【先行技術文献】
【特許文献】
【０００７】
【特許文献１】実公昭６１−２９４６７号公報
【特許文献２】特公平２−３２０１４号公報
【発明の概要】
【発明が解決しようとする課題】
【０００８】
ところで、ダストストップ装置は、ハウジング側に備えられた環状の固定リングと、ロータの本体部側に備えられた環状の回転リングとからなるものである。これら２つのリング１５，１６は、混練室を密閉するように、面接触している。ロータ回転時には、回転リングと固定リングは接触面（シール面）間で摺動する。これら摺動する２つのリング１５，１６の摩耗を低減するため、接触面間に潤滑油が供給されている。その潤滑油は、固定リング側に設けられた潤滑油供給部（供給口）から、接触面間に供給されている。
【０００９】
しかしながら、供給される潤滑油は、混練時にはロータの回転により、潤滑油が接触面全域に供給されにくくなる。詳しくは、混練時においては、ロータの回転による遠心力により、径外方向へ移動する潤滑油の量が多くなり、リングの内周側には供給されにくくなる。
このような状況下となると、リングが摩耗して焼き付いてしまうなど、ダストストップ装置が損傷することとなる。
【００１０】
そこで本発明は、上述の問題に鑑みてなされたものであり、ハウジング側に備えられた固定リングと、ロータ側に備えられた回転リングの接触面全域に、潤滑油を十分に行き渡らせることができる密閉型混練機に備えられているダストストップ装置を提供することを目的とする。
【課題を解決するための手段】
【００１１】
上記の目的を達成するため、本発明においては以下の技術的手段を講じた。
本発明にかかる密閉型混練機に備えられているダストストップ装置は、軸心が互いに平行となるように所定の隙間をあけて隣接して配置されると共に互いに異なる方向へ回転する一対のロータと、当該一対のロータを収納するハウジングとを有するバッチ式の密閉型
混練機に備えられた、前記ロータの軸方向両端側に配備され且つ、一対の前記ロータにて混練された混練物の外部への漏出を防止するダストストップ装置において、前記ダストストップ装置は、前記ロータ側に配備され、当該ロータとともに回転する回転リングと、前記ハウジング側に配備され、一方の面が前記回転リングと面接触する固定リングとで構成されており、前記固定リングには、当該固定リングと前記回転リングの接触面に、潤滑油を供給する潤滑油供給部が、少なくとも１つ以上設けられていて、前記潤滑油供給部は、前記ハウジング側を向く一方の面と、当該一方の面と対向する他方の面を連通する貫通孔であって、前記一方の面において長孔とされていて、前記長孔の長手方向は、前記固定リングの円周接線方向に沿う方向である、又は、前記回転リングの回転方向に対して、前記固定リングの内周側に向かって傾斜する方向であることを特徴とする。
【００１２】
好ましくは、前記潤滑油供給部の長孔形状が、ストレート形状、円弧形状、ブーメラン形状、Ｌ字形状のいずれかであるとよい。
【発明の効果】
【００１３】
本発明によれば、ハウジング側に備えられた固定リングと、ロータ側に備えられた回転リングの接触面全域に、潤滑油を十分に行き渡らせることができる。
【図面の簡単な説明】
【００１４】
【図１】本発明のダストストップ装置が備えられる、密閉型混練機の混練部の構造を模式的に示した図である。
【図２】本発明のダストストップ装置の構成を模式的に示した図である。
【図３】本発明のダストストップ装置の拡大図である。
【図４】本発明のダストストップ装置を構成する固定リングの正面図であり、その固定リングに設けられた潤滑油供給部の第１実施形態を示す図である。
【図５】本発明のダストストップ装置を構成する固定リングの正面図であり、その固定リングに設けられた潤滑油供給部の第２実施形態を示す図である。
【図６】供給される潤滑油の量と、ダストストップ装置の摩耗量との関係を示す図である。
【発明を実施するための形態】
【００１５】
以下、本発明にかかる密閉型混練機１に備えられているダストストップ装置１４の実施形態を、図を参照して説明する。
なお、以下に説明する実施形態は、本発明を具体化した一例であって、その具体例をもって本発明の構成を限定するものではない。従って、本発明の技術的範囲は、本実施形態に開示内容だけに限定されるものではない。
【００１６】
まず、本発明のダストストップ装置１４が備えられている密閉型混練機１について説明する。
図１は、バッチ式の密閉型混練機１の一例を模式的に示した、上方から見た断面図である。
なお、以降の説明において、図１の紙面の左側を密閉型混練機１の「駆動側」または「他端側」とし、紙面の右側を密閉型混練機１の「反駆動側」または「一端側」とする。また、図１は装置上面図であるため、図１の紙面の上側を密閉型混練機１の「幅方向左側」とし、紙面の下側を密閉型混練機１の「幅方向右側」とする。また、図１の紙面の貫通方向手前側を密閉型混練機１の「上側」とし、紙面の貫通方向奥側を「下側」とする。
【００１７】
図１に示すように、密閉型混練機１は、軸心が互いに平行となるように所定の隙間をあけて、左右方向に隣接して配置されると共に、互いに異なる方向へ回転する一対のロータ４と、内部が混練室２とされ、当該混練室２内に一対のロータ４を収納するハウジング３とを有している。この密閉型混練機１は、混練室２に圧入されたゴムやプラスチックなどの被混練材料を、一対のロータ４で混練し、所望の混練状態となった混練物を外部に取り出す構成となっている。
【００１８】
ロータ４は、被混練材料を混練する本体部５と、その本体部５の両端面から突出状に形成されている軸部６を備え、本体部５と軸部６は一体的に形成されている。本体部５の両端に備えられた各軸部６は、軸受８で回転自在に支持されている。その軸受８で支持された軸部６が回転することにより、本体部５が共に回転する。
各本体部５の外周面には、被混練材料を混練する翼７が形成されている。この翼７は、いずれのロータ４においても、軸心方向（軸線）に対してねじれた構造とされている。具体的には、混練室２内に圧入された被混練材料がよく混練されるように、右側のロータ４の本体部５に形成されている翼７と、左側のロータ４の本体部５に形成されている翼７が、互いに軸方向逆向きの流れとなるように、配備されている。
【００１９】
また、一端側（反駆動側）の軸部６は、ハウジング３の外部へ突出していないが、他端側（駆動側）の軸部６は、ハウジング３の外部へ突出している。他端側のロータ４の軸部６には、ロータ４駆動機構（図示せず）が接続されていて、その機構で発生した回転駆動力が入力される。
一対のロータ４は、ロータ駆動機構により回転駆動力が入力されて、互いに異方向に回転する。
【００２０】
混練室２は、ハウジング３に設けられていて、ロータ４の軸方向の一端側及び他端側が開口されている。すなわち、混練室２は、ロータ４の軸方向を向いた筒状のものである。
具体的には、混練室２は、２つの円筒状の空洞を、外周面の一部が互いに重なり合うように左右平行に並べたような形状（ロータ４の軸に対して垂直方向に沿った断面がめがね穴の形状）に形成されている。すなわち、混練室２は、ロータ４の軸心を垂直方向に切断した断面が、左右（幅）方向を向く、まゆ型形状とされている。
【００２１】
２つの円筒状の空洞（空間）それぞれに、その円筒の軸心とロータ４の軸心とが略一致するように、被混練材料を混練するロータ４が回転自在に配備されている。つまり、ロータ４は、円筒状とされた混練室２内に、水平方向に並行で且つ、左右に隣接して一対配備されている。
なお、図示はしないが、混練室２の上部には、上方に向かって開口する開口部が設けられている。その開口部の上方には、被混練材料を上下方向に沿って案内する材料案内路が設けられている。その材料案内路の上方には、開口可能なホッパ（投入口）が設けられている。上述した密閉型混練機１では、ホッパからゴムやプラスチックなどの母材に添加剤などが配合された被混練材料が投入されると、材料案内路で案内されて開口部を経て、混練室２内に押し込まれる。
【００２２】
混練室２に圧入された被混練材料は、翼７のねじれ方向が同じで回転方向が互いに逆とされ且つ、混練室２の内壁を掃くように回転している本体部５の翼７により、混練される。混練された混練物は、混練室２の下側に形成された排出口（図示せず）から混練室２の外部に取り出される。そして、混練物を取り出した後は、混練室２の排出口を閉塞し、ホッパから次バッチの被混練材料を投入し、混練室２内に押し込む。このようなバッチ式の混練サイクルを繰り返すことで、上述した密閉型混練機１では混練が行われる。
【００２３】
ところで、混練室２を備えたハウジング３は、フレーム部材９に支持されている。
具体的には、フレーム部材９は、所定の厚みを有する板材であって、ハウジング３の一端側の壁面及び他端側の壁面に、それぞれ取り付けられている。すなわち、この一対のフレーム部材９は、一端側及び他端側が開放状とされたハウジング３、つまり混練室２を、ロータ４の軸心方向から塞ぐものであって、その混練室２を挟み込むように配備されている。
【００２４】
また、このフレーム部材９には、貫通孔１０が２つ設けられていて、混練室２内に一対配備されたロータ４の軸部６が貫通するようになっている。
例えば、ハウジング３の一端側に取り付けられたフレーム部材９の２つの貫通孔１０においては、反駆動側の軸部６がそれぞれ貫通している。一方で、ハウジング３の他端側に取り付けられたフレーム部材９の２つの貫通孔１０においては、駆動側の軸部６がそれぞれ貫通している。
【００２５】
すなわち、各ロータ４の軸部６は、本体部５の端面からフレーム部材９に形成された各貫通孔１０を介して、外部へ突出するように配備される。
ところで、混練室２は上記のように、一対のフレーム部材９により、基本的には閉鎖された状態となっているが、混練室２内に配備されたロータ４の本体部５の端面と、フレーム部材９の混練室２側の壁面との間には、ロータ４の本体部５が回転するため、小さな隙間が設けられている。その隙間から混練室２内の混練物が外部へ漏出する虞があるので、その隙間に混練物の漏出（流出）を防止するダストストップ装置１４が備えられている。
【００２６】
ダストストップ装置１４は、外部との連通を閉鎖して混練室２が密閉状態となるように、上記した隙間に配備されている。
なお、図１に示すような、混練室２内に一対のロータ４が配備された密閉型混練機１においては、ダストストップ装置１４は、各ロータ４の軸方向両端側、つまり各ロータ４の軸部６に配備されていることとなる。ダストストップ装置１４は、各ロータ４の一端側の軸部６及び他端側の軸部６の、それぞれに配備されている（合計４箇所）。
【００２７】
なお、以降のダストストップ装置１４を説明するにあたり、図１中のＡ部に着目して説明する。また、図２は、図１のＡ部及びその近傍部を拡大した図であって、ダストストップ装置１４全体を示した、上方から見た断面図である。また、図３は、図１のＡ部のみを拡大した図であって、ダストストップ装置１４の構成のうち、潤滑油供給経路側を側面から見た断面図である。
【００２８】
詳しくは、ダストストップ装置１４は、混練室２内で回転するロータ４の本体部５の端面（本体部５と軸部６が切り替わる部位）と、ハウジング３に固定されているフレーム部材９の混練室２側の壁面のそれぞれに、面接触するように配備される。つまり、ダストストップ装置１４は、混練室２内側であって、ロータ４の軸部６が貫通する各貫通孔１０の外周囲に沿って配備されている。
【００２９】
ところで、図２、図３に示すように、ダストストップ装置１４は、一対のロータ４の軸部６に配備され、当該一対のロータ４とともに回転する回転リング１５と、ハウジング３側（フレーム部材９）に配備され、一方の面１７が回転リング１５の他方の面１８と面接触する固定リング１６とで構成されている。
回転リング１５と固定リング１６は、ロータ４の本体部５が回転するとき、互いに密着するように接触している接触面１９間において摺動する。この摺動している接触面１９には、固定リング１６と回転リング１５の摩耗を低減させるための潤滑油が供給されている。
【００３０】
回転リング１５は、ロータ４の本体部５の端面と軸部６との切り替え部分、すなわち軸部６の基端側に嵌り込むように配備されていて、ロータ４とともに回転する。なお、図３に示す事例では、ロータ４の本体部５の端面と軸部６との切り替わる部分にリング状の溝が形成されていて、そのリング状の溝に回転リング１５が圧入されるようになっている。
つまり、本実施形態の回転リング１５は、外周径がリング状の溝の内周径とほぼ同じ径、或いは、やや大きい径とされた環状の薄板部材であって、そのリング状の溝に内嵌するように取り付けられる。
【００３１】
なお、回転リング１５に関して、内周径が軸部６の外周径とほぼ同じ径、或いはやや小さい径とされた環状の薄板部材とし、軸部６の基端側の外周面に外嵌するように取り付けられていてもよい。
回転リング１５は、径方向の厚みが後述する固定リング１６の径方向の厚みとほぼ同じである。つまり、回転リング１５と固定リング１６は、内周径と外周径とがほぼ同じ径とされている。一方、回転リング１５の軸方向の長さは、隙間を塞ぐため、所定の長さ（厚み）を有するものとされている。
【００３２】
固定リング１６は、フレーム部材９に形成された貫通孔１０の周囲に取り付けられるものであって、フレーム部材９の混練室２側を向く側壁に取り付けられている。すなわち、固定リング１６は、ロータ４の本体部５の端面に取り付けられた回転リング１５と対向する位置に配備されている。
図３に示すように、固定リング１６は、外周径が貫通孔１０の内周径とほぼ同じ径、或いは、やや大きい径とされた環状の薄板部材であって、その貫通孔１０に内嵌するように取り付けられる。つまり、固定リング１６は、フレーム部材９に形成された貫通孔１０に圧入されるように配備される。
【００３３】
フレーム部材９側に取り付けられた固定リング１６は、当該フレーム部材９側に備えられた押付力付与機構１３により、混練室２の外側から室内の方向に向けて押し付けられている。このように、固定リング１６が混練室２内方向に押し付けられることにより、固定リング１６と回転リング１５が密着するように接触することになるので、混練室２の密閉状態が保持されている。
【００３４】
さて本発明は、固定リング１６に設けられ、その固定リング１６と回転リング１５が密着し摺動する接触面１９全域に、潤滑油を供給する潤滑油供給部２０の形状に関するものである。
以下に、固定リング１６に設けられた潤滑油供給部２０の形状に関し、２つの事例を挙げて説明する。
［第１実施形態］
まず、潤滑油供給部２０の第１実施形態について、詳細に説明する。
【００３５】
図４は、固定リング１６に設けられた潤滑油供給部２０の第１実施形態を示す正面図である。
図４に示すように、ダストストップ装置１４を構成する固定リング１６には、当該固定リング１６と、ロータ４とともに回転する回転リング１５の接触面１９に潤滑油を供給する潤滑油供給部２０が、少なくとも１つ以上設けられている。本実施形態においては、正面視で、潤滑油供給部２０が６つ設けられている。
【００３６】
なお、本実施形態においては、潤滑油供給部２０は固定リング１６に等間隔に設けられているが、ロータ４の回転の遠心力による潤滑油の流れ方などを考慮して不等間隔に設けてもよい。また、潤滑油供給部２０の数も６つに限定されない。例えば、３つでもよい。
この潤滑油供給部２０は、回転リング１５と面接触する固定リング１６の一方の面１７と、当該一方の面１７と対向する他方の面１８を連通する貫通孔である。その他方の面１８の後方には、潤滑油を供給する潤滑油供給手段１１（例えば、圧注油器など）の供給ノズル１２が配備されていて、その供給ノズル１２の先端部が他方の面１８側から潤滑油供給部２０に挿入されている（図２、図３参照）。
【００３７】
潤滑油供給部２０は、固定リング１６の一方の面１７（接触面１９となる面）において、長孔とされている。なお、本明細書における長孔は、「スリット状の孔」や「細長い溝」なども含むこととする。
潤滑油供給部２０は、長孔の長手方向が固定リング１６の円周接線方向に沿った方向を向いて設けられている。なお以降、長孔の長手方向を、長さ方向と呼ぶこととする。また、長孔の長手方向に対して直交する方向を、幅方向と呼ぶこととする。
【００３８】
言い換えると、潤滑油供給部２０は、長孔の長さ方向が回転リング１５の回転方向に沿った方向を向いて設けられている。これは、回転リング１５中心からの長孔の一端部までの距離（半径）と、回転リング１５中心からの長孔の他端部までの距離（半径）とが同じことを意味する。
なお、図４の事例では、潤滑油供給部２０は、固定リング１６の径方向（厚み）において、固定リング１６の内周と外周の略中間の位置に設けられている。また、潤滑油供給部２０の後方に配備されている供給ノズル１２は、固定リング１６の正面視で、長さ方向における中央部であり且つ幅方向における中央部に配備されている。なお、潤滑油供給部２０における供給ノズル１２の配備位置は一例である。
【００３９】
また、潤滑油供給部２０における供給ノズル１２より左右方向外側の空間、すなわち長孔の右端側（一方端２１）及び左端側（他方端２２）の空間は、潤滑油を一時的に貯留する貯留部２３（油だまり部）とされる。
なお、潤滑油供給部２０において、固定リング１６の一方の面１７のみを長孔としたが、固定リング１６の一方の面１７及び他方の面１８、すなわち両面を長孔としてもよい。
【００４０】
以上述べたように、固定リング１６に設けられている潤滑油供給部２０を長孔とし、且つその長孔の長さ方向を固定リング１６の円周接線方向に沿った方向を向いて設けることで、固定リング１６と回転リング１５との接触面１９全域に潤滑油を十分に供給することができる。
［第２実施形態］
次に、本発明にかかるダストストップ装置１４を構成する固定リング１６に設けられた潤滑油供給部２０の第２実施形態について、詳細に説明する。
【００４１】
図５は、固定リング１６に設けられた潤滑油供給部２０の第２実施形態を示す正面図である。なお、本実施形態においては、図５中の紙面上側の潤滑油供給部２０に着目して説明する。また、本実施形態における潤滑油供給部２０の基本的な構成、すなわち潤滑油供給部２０の正面視での形状以外の構成については、第１実施形態で述べた構成と同様であるので、説明を省略する。例えば、本実施形態においても、潤滑油供給部２０は固定リング１６に等間隔に６つ設けられているが、ロータ４の回転の遠心力による潤滑油の流れ方などを考慮して、不等間隔に少なくとも１つ以上（例えば３つ）設けてもよい。
【００４２】
図５に示すように、本実施形態の潤滑油供給部２０は、固定リング１６の一方の面１７と他方の面１８を連通する貫通孔であって、固定リング１６の一方の面１７（接触面１９となる面）において、長孔とされている。また、潤滑油供給部２０は、その長孔の長さ方向が回転リング１５の回転方向に対して、当該回転リング１５の内周側に向かう方向に傾斜して設けられている。
【００４３】
具体的には、潤滑油供給部２０は、例えば図５中において、紙面右側から左側に回転する方向（反時計回り）を、回転リング１５の回転方向（同図中の矢印）とした場合、その長孔の左端（一方端２１）側が固定リング１６の内周径側（固定リング１６の円周接線方向内側）に位置し、且つ右端（他方端２２）側が固定リング１６の外周径側（固定リング１６の円周接線方向外側）に位置するように、設けられる。すなわち、回転リング１５中心からの長孔の一端部までの距離（半径）が短く、回転リング１５中心からの長孔の他端部までの距離（半径）が長いこととなっている。
【００４４】
つまり、図５に示すように、潤滑油供給部２０は、正面視で、長さ方向の軸心が回転リング１５の回転方向に沿う方向となるような長孔形状とされている。また、潤滑油供給部２０は、回転リング１５の回転方向において、固定リング１６の外周側から内周側へ向かってゆくような長孔形状ともいえる。
以上述べた長孔（潤滑油供給部２０）の長さ方向の傾斜角α（長孔の長さ方向の線と、長孔の長さ方向中心における固定リング１６の中心に対する接線が成す角）について、接触面１９に対する潤滑油の供給範囲を考慮すると、0°以上45°以下が好ましい。さらには、固定リング１６の形状を考慮すると、潤滑油供給部２０の傾斜角αは0°以上25°以下であるとより好ましい。
【００４５】
なお、このような固定リング１６における潤滑油供給部２０の位置関係、すなわち回転リング１５の回転方向に対する長孔の長さ方向の向きの関係（長孔）を、回転リング１５の回転方向に閉方向とする。
ところで、図５に示すように、供給ノズル１２は、固定リング１６の正面視において、長孔の右端（他方端２２）側に配備されている。なお、潤滑油供給部２０における供給ノズル１２の配備位置は一例である。
【００４６】
また、潤滑油供給部２０における長孔の長手方向中途部から左端側にかけては、潤滑油を一時的に貯留する貯留部２３（油だまり部）とされている。
さて、供給ノズル１２から供給された潤滑油のうち一部は、回転リング１５の回転による遠心力により、潤滑油供給部２０の右端側から固定リング１６の径外方向に流れてゆき、固定リング１６の外周側の接触面１９を潤滑する。また供給された潤滑油の残りのものは、固定リング１６の内周径に向かって流れてゆき、貯留部２３で一時的に貯留され、固定リング１６の径内方向に流れてゆき、固定リング１６の内周側の接触面１９を潤滑する。
【００４７】
以上より、潤滑油供給部２０は、長孔の長さ方向が回転リング１５の回転方向に対して閉方向を向いて、固定リング１６に設けられていると好ましい。また、潤滑油供給部２０において、固定リング１６の一方の面１７のみを長孔としたが、固定リング１６の一方の面１７及び他方の面１８の双方を長孔としてもよい。
以上述べたように、固定リング１６に設けられている潤滑油供給部２０を長孔とし、且つその長孔の長さ方向を回転リング１５の回転方向に対して、当該回転リング１５の内周側に向かう方向に沿った方向を向いて設けることで、固定リング１６と回転リング１５との接触面１９全域に潤滑油を途切れること無く十分に供給することができる。
【００４８】
続いて、本発明の作用効果について、図６に示す固定リング１６の摩耗試験の結果に基づいて、説明する。
図６に示すように、固定リング１６の潤滑油供給部２０を、第１実施形態の長孔形状とした場合、潤滑油の供給量がおよそ０．０５（ｃｃ／ｓｅｃ）のとき、固定リング１６の摩耗量はおよそ４．５μｍとされ、潤滑油の供給量がおよそ０．１１（ｃｃ／ｓｅｃ）のとき、固定リング１６の摩耗量はおよそ３．８μｍとされ、潤滑油の供給量がおよそ０．２２（ｃｃ／ｓｅｃ）のとき、固定リング１６の摩耗量はおよそ３．９μｍとされている。
【００４９】
つまり、潤滑油供給部２０を第１実施形態の長孔形状とした場合、固定リング１６の摩耗量は４μｍ前後となっているので、摩耗低減の効果が発現されていることがわかる（▲印）。
また、固定リング１６に設けられる潤滑油供給部２０を、第２実施形態の長孔形状とした場合、潤滑油の供給量がおよそ０．０５（ｃｃ／ｓｅｃ）のとき、固定リング１６の摩耗量はおよそ１．９μｍとされ、潤滑油の供給量がおよそ０．１１（ｃｃ／ｓｅｃ）のとき、固定リング１６の摩耗量はおよそ１μｍとされ、潤滑油の供給量がおよそ０．２２（ｃｃ／ｓｅｃ）のとき、固定リング１６の摩耗量はおよそ０．８μｍとされている。
【００５０】
つまり、潤滑油供給部２０を第２実施形態の長孔形状とした場合、固定リング１６の摩耗量が２μｍ未満とされていて、第１実施形態の形状とした場合に比べて、摩耗量が大幅に低減されていることがわかる（■印）。
ここで、比較例として図６に示している、潤滑油供給部２０を第２実施形態の長孔形状と反対方向にした場合とは、回転リング１５の回転方向において、固定リング１６の内周側から外周側へ向かう方向を向いた長孔形状である。つまり、比較例の潤滑油供給部２０は、長さ方向の軸心が回転リング１５の回転方向から離れる方向（回転リング１５の回転方向に対して開方向）を向いた長孔形状のことである。
【００５１】
図６を参照するとわかるように、上記の比較例の場合、潤滑油の供給量がおよそ０．０５（ｃｃ／ｓｅｃ）のとき、固定リング１６の摩耗量はおよそ１０．３μｍとされ、潤滑油の供給量がおよそ０．１１（ｃｃ／ｓｅｃ）のとき、固定リング１６の摩耗量はおよそ１２μｍとされ、潤滑油の供給量がおよそ０．２２（ｃｃ／ｓｅｃ）のとき、固定リング１６の摩耗量はおよそ１１．５μｍとされている。
【００５２】
比較例の場合、固定リング１６の摩耗量が１０μｍ超とされていて、本発明に比べて、摩耗低減の効果が全くないことがわかる（◆印）。
以上より、潤滑油供給部２０を比較例のような形状とすると、回転リング１５の回転による遠心力により、接触面１９に供給される潤滑油がほぼすべて、摺動している２つのリング１５，１６の外側へ流れ出して、油切れを生じさせてしまう虞がある。特に、固定リング１６内周側に、潤滑油が供給されにくくなると考えられる。
【００５３】
つまり、潤滑油供給部２０の長孔形状を比較例とした場合、２つのリング１５，１６が酷く摩耗してしまう虞がある。
以上、潤滑油供給部２０を本発明の形状とすれば、固定リング１６と回転リング１５が摺動する接触面１９全域に十分に潤滑油を供給することができるようになる。つまり、本発明は、接触面１９全域における潤滑性能が際だって優れたものである。
【００５４】
なお、今回開示された実施形態はすべての点で例示であって制限的なものではないと考えられるべきである。
例えば、潤滑油供給部２０の長孔形状が、長さ方向が直線状とされたストレート形状、長さ方向が固定リング１６の円弧に沿った形状、長さ方向が湾曲状とされたブーメラン形状、長さ方向が屈曲状とされたＬ字形状のいずれかであるとよい。
【００５５】
また、本実施形態においては、潤滑油供給部２０を固定リング１６側に設けたものとして説明したが、ロータ４側に潤滑油を供給する手段を配備することが可能であれば、回転リング１５側に潤滑油供給部２０を設けてもよい。
特に、今回開示された実施形態において、明示的に開示されていない事項、例えば、運転条件や操業条件、各種パラメータ、構成物の寸法、重量、体積などは、当業者が通常実施する範囲を逸脱するものではなく、通常の当業者であれば、容易に想定することが可能な値を採用している。
【符号の説明】
【００５６】
１  密閉型混練機
２  混練室
３  ハウジング
４  ロータ
５  本体部
６  軸部
７  翼
８  軸受
９  フレーム部材
１０  貫通孔
１１  潤滑油供給手段
１２  供給ノズル
１３  押付力付与機構
１４  ダストストップ装置
１５  回転リング
１６  固定リング
１７  一方の面
１８  他方の面
１９  接触面
２０  潤滑油供給部
２１  一方端
２２  他方端
２３  貯留部
【図１】
0006772419.tif 000002
【図２】
0006772419.tif 000003
【図３】
0006772419.tif 000004
【図４】
0006772419.tif 000005
【図５】
0006772419.tif 000006
【図６】
0006772419.tif 000007